(57)【要約】      （修正有）【課題】指紋紋様及び血液型による星座占いシステムを提供する。【解決手段】複数の指紋紋様、血液型及び星座の相関確率を提供し、かつ複数の星座占いデータを提供する第一の装置と、少なくとも一つの指紋画像を検出し、かつ該指紋画像の紋様を分析する第二の装置と、血液型のデータを入力する第三の装置とを備え、前記第一の装置は、前記指紋紋様、血液型及び星座の相関確率を計算し、かつ該指紋紋様、血液型及び星座の相関確率により少なくとも一つの前記星座占いデータを出力する。本星座占いシステムは、指紋検出装置１、入力ユニット２、認識計算ユニット３、記憶ユニット４及び出力ユニット５を有している。前記認識計算ユニット３は、前記指紋画像の特異点の数及び流れの方向を認識して該指紋画像の指紋紋様を分類し、かつ前記指紋紋様、血液型及び星座の相関確率を計算する。【選択図】図２
0003153656.tif 000002
【実用新案登録請求の範囲】
【請求項１】
複数の指紋紋様、血液型及び星座の相関確率を提供し、かつ複数の星座占いデータを提供するための第一の装置と、
少なくとも一つの指紋画像を検出し、かつ該指紋画像の紋様を分析するための第二の装置と、
血液型のデータを入力するための第三の装置と、を備える指紋紋様及び血液型による星座占いシステムであって、
前記第一の装置は、前記指紋紋様、血液型及び星座の相関確率を計算し、かつ該指紋紋様、血液型及び星座の相関確率により少なくとも一つの前記星座占いデータを出力するために用いられる指紋紋様及び血液型による星座占いシステム。
【請求項２】
前記指紋画像が、左手の親指の指紋画像であることを特徴とする請求項１に記載の指紋紋様及び血液型による星座占いシステム。
【請求項３】
前記指紋画像が、右手の親指の指紋画像であることを特徴とする請求項１に記載の指紋紋様及び血液型による星座占いシステム。
【請求項４】
前記指紋画像の紋様が、右蹄状紋、左蹄状紋、突起弓状紋、弓状紋、渦状紋、エディ及びＳ-タイプを含むことを特徴とする請求項１に記載の指紋紋様及び血液型による星座占いシステム。
【請求項５】
前記指紋紋様が、
前記指紋画像を前処理するステップと、
コア及びデルタを含む前記指紋画像の特異点を獲得し、かつ前記指紋画像の対称、ループ数及び象限数を計算するステップと、
前記指紋画像の特異点の数及び流れの方向を追跡することにより前記指紋画像を右蹄状紋、左蹄状紋、突起弓状紋、弓状紋、渦状紋、エディまたはＳ-タイプに分類するステップと、
を備える指紋分類方法を使用することを特徴とする請求項１に記載の指紋紋様及び血液型による星座占いシステム。
【請求項６】
少なくとも一つの指紋画像を検出するための指紋検出装置と、
血液型をシステムに入力するための入力ユニットと、
前記指紋画像の特異点の数及び流れの方向を認識して該指紋画像の紋様を分類し、かつ前記指紋紋様、血液型及び星座の相関確率を計算し、かつ該指紋紋様、血液型及び星座の相関確率により少なくとも一つの星座占いデータを出力するための認識計算ユニットと、
を備える指紋紋様及び血液型による星座占いシステム。
【請求項７】
前記星座占いデータを記憶するための記憶ユニットをさらに備えることを特徴とする請求項６に記載の指紋紋様及び血液型による星座占いシステム。
【請求項８】
前記星座占いデータを出力するための出力ユニットをさらに備えること特徴とする請求項６に記載の指紋紋様及び血液型による星座占いシステム。
【請求項９】
前記出力ユニットが、ディスプレーであることを特徴とする請求項８に記載の指紋紋様及び血液型による星座占いシステム。
【請求項１０】
前記出力ユニットが、プリンターであることを特徴とする請求項８に記載の指紋紋様及び血液型による星座占いシス
【考案の詳細な説明】
【技術分野】
【０００１】
本考案は、指紋紋様及び血液型による星座占いシステムに関し、特に、右蹄状紋、左蹄状紋、突起弓状紋、弓状紋、渦状紋、エディ（ｅｄｄｙ）及びＳ-タイプ（Ｓ−ｔｙｐｅ）またはツインループ（ｔｗｉｎ  ｌｏｏｐ）による星座占いシステムに関する。
【背景技術】
【０００２】
一般的に、星座占い方法及びシステムまたは星座に基づく占い方法及びシステムは、すでに数多くの国内特許に開示されている。たとえば、特許文献１には、星座占い装置が開示されている。特許文献１は、本考案の背景技術として現在の技術の発展を説明し、本考案を限定するものではない。
【先行技術文献】
【特許文献】
【０００３】
また、前記星座占い方法及びシステムまたは星座に基づく占い方法及びシステムは、数多くの米国特許に開示されている。たとえば、特許文献２には、「Ａｍｕｓｅｍｅｎｔ  Ｆｏｒｔｕｎｅ−Ｔｅｌｌｉｎｇ  Ｍａｃｈｉｎｅ  ｏｒ  ｔｈｅ  Ｌｉｋｅ」が開示されている。特許文献３には、「Ｆｏｒｔｕｎｅ−Ｔｅｌｌｉｎｇ  Ｏｒｉｅｎｔｅｄ  Ｎｅｔｗｏｒｋ  Ｉｎｆｏｒｍａｔｉｏｎ  Ｓｕｐｐｌｙ  Ｓｙｓｔｅｍ」が開示されている。特許文献４には、「Ｓｙｓｔｅｍ  ｆｏｒ  Ｃｏｎｄｕｃｔｉｎｇ  Ｆｏｒｔｕｎｅ  Ｔｅｌｌｉｎｇ  ａｎｄ  Ｃｈａｒａｃｔｅｒ  Ａｎａｌｙｓｉｓ  ｏｖｅｒ  Ｉｎｔｅｒｎｅｔ  Ｂａｓｅｄ  ｏｎ  Ｎａｍｅｓ  ｏｆ  Ａｎｙ  Ｌａｎｇｕａｇｅ」が開示されている。前記米国特許文献は、本考案の背景技術として現在の技術の発展を説明し、本考案を限定するものではない。
【０００４】
しかしながら、前記特許文献には、指紋または血液型による星座占いまたは占いの技術が開示されていない。星座占いまたは星座に基づく占いは広く応用される技術であるが、予測或いは占いの正確性または娯楽性を増加するために、生物特徴をさらに提供して予測または占いに協力する必要がある。
【０００５】
これを鑑みて、前記星座占いまたは星座に基づく占いの要求を満たすために、適当な生物特徴を星座占いまたは星座に基づく占いの分野に合わせ、星座占いシステムを提供する必要がある。
【特許文献１】台湾特許第３８１７５５号
【特許文献２】米国特許第Ｄ２５０８５０号
【特許文献３】米国特許第６,５２３,３０９号
【特許文献４】米国特許公開第２００２０１４１６４４号
【考案の開示】
【考案が解決しようとする課題】
【０００６】
本考案の目的は、個人の指紋紋様及び血液型と星座との関係により星座を推定し、星座占いの目的を達する指紋紋様及び血液型による星座占いシステムを提供することにある。
【０００７】
本考案の他の目的は、人の指紋紋様及び血液型と星座との関係により星座を推定し、かつ星座占いデータを出力し、星座占いの目的を達する指紋紋様及び血液型による星座占いシステムを提供することにある。
【課題を解決するための手段】
【０００８】
前記目的を達するために、本考案の指紋紋様及び血液型による星座占いシステムは、複数の指紋紋様、血液型及び星座の相関確率を提供し、かつ複数の星座占いデータを提供する第一の装置と、少なくとも一つの指紋画像を検出し、かつ該指紋画像の紋様を分析する第二の装置と、血液型のデータを入力する第三の装置とを備え、前記第一の装置は、前記指紋紋様、血液型及び星座の相関確率を計算し、かつ該指紋紋様、血液型及び星座の相関確率により少なくとも一つの前記星座占いデータを出力する。
【０００９】
本考案の好ましい実施例として、前記指紋画像は左手の親指の指紋画像である。
【００１０】
本考案の好ましい実施例として、前記指紋画像は右手の親指の指紋画像である。
【００１１】
本考案の好ましい実施例として、前記指紋画像の紋様は、右蹄状紋、左蹄状紋、突起弓状紋、弓状紋、渦状紋、エディ及びＳ-タイプを含む。
【００１２】
本考案の好ましい実施例として、前記指紋紋様、血液型及び星座の相関確率は、右手の親指の指紋、左手の親指の指紋、血液型及び星座の相関確率である。
【００１３】
本考案の好ましい実施例として、前記指紋紋様は、前記指紋画像を前処理する（ｐｒｅｐｒｏｃｅｓｓｉｎｇ）ステップと、コア及びデルタを含む前記指紋画像の特異点を獲得し、かつ前記指紋画像の対称、ループ数及び象限数を計算するステップと、前記指紋画像の特異点の数及び流れの方向を追跡することにより前記指紋画像を右蹄状紋、左蹄状紋、突起弓状紋、弓状紋、渦状紋、エディまたはＳ-タイプに分類するステップとを備える指紋分類方法を使用する。
【００１４】
本考案の指紋紋様及び血液型による星座占いシステムは、指紋検出装置、入力ユニット及び認識計算ユニットを備える。前記指紋検出装置は、少なくとも一つの指紋画像を検出するために用いられる。前記入力ユニットは、血液型をシステムに入力するために用いられる。前記認識計算ユニットは、前記指紋画像の特異点の数及び流れの方向を認識して該指紋画像の紋様を分類し、かつ前記指紋紋様、血液型及び星座の相関確率を計算し、かつ該指紋紋様、血液型及び星座の相関確率により少なくとも一つの星座占いデータを出力する。
【００１５】
本考案の好ましい実施例として、本考案の星座占いシステムは、前記星座占いデータを記憶するための記憶ユニットをさらに備える。
【００１６】
本考案の好ましい実施例として、本考案の星座占いシステムは、前記星座占いデータを出力するための出力ユニットをさらに備える。
【００１７】
本考案の好ましい実施例として、前記出力ユニットは、ディスプレーである。
【００１８】
本考案の好ましい実施例として、前記出力ユニットは、プリンターである。
【考案の効果】
【００１９】
本考案の好ましい実施例の指紋紋様及び血液型による星座占い方法及びそのシステムは、娯楽業及び適性検査に関する分野に適用できるが、これに限定されるものではない。本考案の好ましい実施例の指紋紋様及び血液型による星座占いシステムは、ゲーム機、占い機またはそのコンピューターソフトウェアを構成できるが、これに限定されるものではない。
【考案を実施するための最良の形態】
【００２０】
本考案の特徴は、添付図面に関連する以下の詳細な説明から一層明らかとなろう。本考案は、これらの実施形態に限定されるものではない。
【００２１】
図１は、本考案の好ましい実施例の指紋紋様及び血液型による星座占いシステムの作動方法を示すフローチャートである。本考案の好ましい実施例の指紋紋様及び血液型による星座占い方法は、この好ましい実施例により説明するが、それに限定されるものではない。本考案の好ましい実施例の指紋紋様及び血液型による星座占い方法は、Ｓ1Ａ、Ｓ1Ｂ、Ｓ２、Ｓ３及びＳ４五つのステップを備える。また、特許を請求する本考案の実質的な範囲から逸脱することなく、前記五つのステップの順番を変更できる。したがって、前記五つのステップの順番は、本考案を限定するものではない。
【００２２】
図１を参照して、本考案の好ましい実施例の指紋紋様及び血液型による星座占い方法は、まず、ステップ１ＡのＳ１Ａにおいて、複数の指紋紋様、血液型及び星座の相関確率を提供する。そして、ステップ１ＢのＳ１Ｂにおいて、複数の星座占いデータを提供する。たとえば、本考案において、前記指紋紋様、血液型及び星座の相関確率及び星座占いデータを選択的に提供することができる。
【００２３】
再び図１を参照して、本考案の好ましい実施例の指紋紋様及び血液型による星座占い方法は、ステップ２のＳ２において、少なくとも一つの指紋画像または複数の異なる指の指紋画像を検出し、かつ該指紋画像の紋様を分析する。本考案の好ましい実施例の指紋画像の紋様は、右蹄状紋、左蹄状紋、突起弓状紋、弓状紋、渦状紋、エディ（ｅｄｄｙ）及びＳ-タイプ（Ｓ−ｔｙｐｅ）を含むが、これに限定されるものではない。
【００２４】
本考案の好ましい実施例の指紋紋様の指紋分類方法は、前記指紋画像を前処理するステップと、コア及びデルタを含む前記指紋画像の特異点を獲得し、かつ前記指紋画像の対称、ループ数及び象限数を計算するステップと、前記指紋画像の特異点の数及び流れの方向を追跡することにより前記指紋画像を右蹄状紋、左蹄状紋、突起弓状紋、弓状紋、渦状紋、エディまたはＳ-タイプに分類するステップとを備える。本考案の指紋分類方法は、本出願人の他の台湾特許出願書０９７１３８５０２の「階層式特異点検出及び方向流を追跡することによる分類方法及びそのシステム」を使用することができ、その詳しい説明はここで省略する。
【００２５】
本考案の好ましい実施例の前記指紋画像は、左手の親指の指紋画像及び右手の親指の指紋画像であることができるが、これに限定されるものではない。本考案のもう一つの好ましい実施例において、前記指紋画像は、左手の親指の指紋画像と右手の親指の指紋画像との組み合わせであることができるが、これに限定されるものではない。
【００２６】
再び図１を参照して、本考案の好ましい実施例の指紋紋様及び血液型による星座占い方法のステップ３のＳ３において、Ｏ型、Ａ型、Ｂ型及びＡＢ型の血液型を入力する。
【００２７】
再び図１を参照して、本考案の好ましい実施例の指紋紋様及び血液型による星座占い方法の最後のステップ４のＳ４において、前記指紋紋様、血液型及び星座の相関確率を計算する。本考案の好ましい実施例の前記指紋紋様、血液型及び星座の相関確率は、右手の親指の指紋、左手の親指の指紋、血液型及び星座の相関確率である。その計算が終わったら、前記指紋紋様、血液型及び星座の相関確率により少なくとも一つの前記星座占いデータを出力する。
【００２８】
図２は、本考案の好ましい実施例の指紋紋様及び血液型による星座占いシステムのブロック図である。図２を参照して、本考案の星座占いシステムは、指紋検出装置１、入力ユニット２、認識計算ユニット３、記憶ユニット４及び出力ユニット５を有し、ゲーム機または占い機を構成することができるが、これに限定されるものではない。
【００２９】
再び図２を参照して、前記指紋検出装置１は、少なくとも一つの指紋画像または複数の異なる指の指紋画像を検出するために用いられ、かつ該指紋画像の紋様を分析する。本考案の好ましい実施例の指紋画像の紋様は、右蹄状紋、左蹄状紋、突起弓状紋、弓状紋、渦状紋、エディ（ｅｄｄｙ）及びＳ-タイプ（Ｓ−ｔｙｐｅ）などの七種類を含むが、これに限定されるものではない。複数の異なる指の指紋画像を検出する場合、前記七種類の紋様のいかなる組み合わせを検出することができる。
【００３０】
再び図２を参照して、前記入力ユニット２は、血液型をシステムに入力するために用いられる。前記入力ユニット２は、複数のボタンまたはコンピューターソフトウェアの入力インターフェースであることができるが、これに限定されるものではない。たとえば、前記複数のボタンまたはコンピューターソフトウェアの入力インターフェースは、血液型のデータにより、Ｏ型のボタンまたはアイコン（ｉｃｏｎ）、Ａ型のボタンまたはアイコン、Ｂ型のボタンまたはアイコン或いはＡＢ型のボタンまたはアイコンにすることができる。
【００３１】
再び図２を参照して、前記認識計算ユニット３は、前記指紋画像の特異点の数及び流れの方向を認識して該指紋画像の紋様を分類し、かつ前記指紋紋様、血液型及び星座の相関確率を計算し、かつ該指紋紋様、血液型及び星座の相関確率により少なくとも一つの星座占いデータを出力する。
【００３２】
再び図２を参照して、本考案の好ましい実施例の記憶ユニット４は、前記星座占いデータを記憶するために用いられる。前記星座占いデータは、星座及び運勢などのデータを含むことができる。前記出力ユニット５は、前記星座占いデータを出力するために用いられる。本考案の好ましい実施例の出力ユニット５は、ディスプレーまたはプリンターのいずれか一つである。
【００３３】
図３は、本考案の好ましい実施例の指紋紋様及び血液型による星座占いシステムを示す説明図である。図３を参照して、本考案の好ましい実施例の指紋紋様及び血液型による星座占いシステムは、左手の親指の指紋画像と右手の親指の指紋画像との組み合わせにより星座占いをするが、これに限定されるものではない。
【００３４】
図４は、本考案の好ましい実施例の指紋紋様及び血液型による星座占いシステムが使用する指紋分類方法を示すブロック図である。図４を参照して、本考案の指紋分類方法は、階層式特異点検出及び方向流を追跡方式を使い、指紋紋様を七種類に分類する。そこで、指紋紋様「Ｒ」は右蹄状紋とし、指紋紋様「Ｌ」は左蹄状紋とし、指紋紋様「Ｔ」は突起弓状紋とし、指紋紋様「Ａ」は弓状紋とし、指紋紋様「Ｗ」は渦状紋とし、指紋紋様「Ｅ」はエディとし、指紋紋様「Ｓ」はＳ-タイプまたはツインループとする。
【００３５】
図４に示すように、本考案の指紋分類方法は、コアの数、デルタの数、ループ数、曲率、対称及び象限数の規則により、エディ「Ｅ」と、Ｓ-タイプ「Ｓ」と、渦状紋「Ｗ」との差異を区別し、従来の分類方法においてエディ「Ｅ」及びＳ-タイプ「Ｓ」が渦状紋「Ｗ」に属されるという問題を解消する。しかし、本考案はこの規則に限定されるものではない。
【００３６】
本考案の好ましい実施例の指紋紋様及び血液型による星座占い方法及びそのシステムは、被験者の指紋紋様、血液型及び星座の条件により、その人の特質の予測または心理状態の評価に応用され、指紋認識の応用範囲を広げる。
【００３７】
なお、本考案を上記の好ましい実施形態に関して記載したが、当業者は、特許を請求する本考案の範囲ならびに趣旨から逸脱することなく、種々変形及び変更することが可能である。
【図面の簡単な説明】
【００３８】
【図１】本考案の好ましい実施例の指紋紋様及び血液型による星座占いシステムの作動方法を示すフローチャートである。
【図２】本考案の好ましい実施例の指紋紋様及び血液型による星座占いシステムを示すブロック図である。
【図３】本考案の好ましい実施例の指紋紋様及び血液型による星座占いシステムを示す説明図である。
【図４】本考案の好ましい実施例の指紋紋様及び血液型による星座占いシステムが使用する指紋分類方法を示すブロック図である。
【符号の説明】
【００３９】
Ｓ１Ａ  ステップ１Ａ
Ｓ１Ｂ  ステップ１Ｂ
Ｓ１  ステップ２
Ｓ３  ステップ３
Ｓ４  ステップ４
１  指紋検出装置
２  入力ユニット
３  認識計算ユニット
４  記憶ユニット
５  出力ユニット
【図１】
0003153656.tif 000003
【図２】
0003153656.tif 000004
【図３】
0003153656.tif 000005
【図４】
0003153656.tif 000006
【手続補正書】
【提出日】平成21年3月31日(2009.3.31)
【手続補正１】
【補正対象書類名】実用新案登録請求の範囲
【補正対象項目名】全文
【補正方法】変更
【補正の内容】
【実用新案登録請求の範囲】
【請求項１】
複数の指紋紋様、血液型及び星座の相関確率を提供し、かつ複数の星座占いデータを提供するための第一の装置と、
少なくとも一つの指紋画像を検出し、かつ該指紋画像の紋様を分析するための第二の装置と、
血液型のデータを入力するための第三の装置と、を備える指紋紋様及び血液型による星座占いシステムであって、
前記第一の装置は、前記指紋紋様、血液型及び星座の相関確率を計算し、かつ該指紋紋様、血液型及び星座の相関確率により少なくとも一つの前記星座占いデータを出力するために用いられる指紋紋様及び血液型による星座占いシステム。
【請求項２】
前記指紋画像が、左手の親指の指紋画像であることを特徴とする請求項１に記載の指紋紋様及び血液型による星座占いシステム。
【請求項３】
前記指紋画像が、右手の親指の指紋画像であることを特徴とする請求項１に記載の指紋紋様及び血液型による星座占いシステム。
【請求項４】
前記指紋画像の紋様が、右蹄状紋、左蹄状紋、突起弓状紋、弓状紋、渦状紋、エディ及びＳ-タイプを含むことを特徴とする請求項１に記載の指紋紋様及び血液型による星座占いシステム。
【請求項５】
前記指紋紋様が、
前記指紋画像を前処理するステップと、
コア及びデルタを含む前記指紋画像の特異点を獲得し、かつ前記指紋画像の対称、ループ数及び象限数を計算するステップと、
前記指紋画像の特異点の数及び流れの方向を追跡することにより前記指紋画像を右蹄状紋、左蹄状紋、突起弓状紋、弓状紋、渦状紋、エディまたはＳ-タイプに分類するステップと、
を備える指紋分類方法を使用することを特徴とする請求項１に記載の指紋紋様及び血液型による星座占いシステム。
【請求項６】
少なくとも一つの指紋画像を検出するための指紋検出装置と、
血液型をシステムに入力するための入力ユニットと、
前記指紋画像の特異点の数及び流れの方向を認識して該指紋画像の紋様を分類し、かつ前記指紋紋様、血液型及び星座の相関確率を計算し、かつ該指紋紋様、血液型及び星座の相関確率により少なくとも一つの星座占いデータを出力するための認識計算ユニットと、
を備える指紋紋様及び血液型による星座占いシステム。
【請求項７】
前記星座占いデータを記憶するための記憶ユニットをさらに備えることを特徴とする請求項６に記載の指紋紋様及び血液型による星座占いシステム。
【請求項８】
前記星座占いデータを出力するための出力ユニットをさらに備えること特徴とする請求項６に記載の指紋紋様及び血液型による星座占いシステム。
【請求項９】
前記出力ユニットが、ディスプレーであることを特徴とする請求項８に記載の指紋紋様及び血液型による星座占いシステム。
【請求項１０】
前記出力ユニットが、プリンターであることを特徴とする請求項８に記載の指紋紋様及び血液型による星座占いシステム。
【手続補正書】
【提出日】平成21年6月30日(2009.6.30)
【手続補正１】
【補正対象書類名】実用新案登録請求の範囲
【補正対象項目名】全文
【補正方法】変更
【補正の内容】
【実用新案登録請求の範囲】
【請求項１】
複数の指紋紋様、血液型及び星座の相関確率を提供し、かつ複数の星座占いデータを提供するための第一の装置と、
少なくとも一つの指紋画像を検出し、かつ該指紋画像の紋様を分析するための第二の装置と、
血液型のデータを入力するための第三の装置と、を備える指紋紋様及び血液型による星座占いシステムであって、
前記第一の装置は、前記指紋紋様、血液型及び星座の相関確率を計算し、かつ該指紋紋様、血液型及び星座の相関確率により少なくとも一つの前記星座占いデータを出力するために用いられる指紋紋様及び血液型による星座占いシステム。
【請求項２】
前記指紋画像が、左手の親指の指紋画像であることを特徴とする請求項１に記載の指紋紋様及び血液型による星座占いシステム。
【請求項３】
前記指紋画像が、右手の親指の指紋画像であることを特徴とする請求項１に記載の指紋紋様及び血液型による星座占いシステム。
【請求項４】
前記指紋画像の紋様が、右蹄状紋、左蹄状紋、突起弓状紋、弓状紋、渦状紋、エディ及びＳ-タイプを含むことを特徴とする請求項１に記載の指紋紋様及び血液型による星座占いシステム。
【請求項５】
前記指紋紋様が、
前記指紋画像を前処理するステップと、
コア及びデルタを含む前記指紋画像の特異点を獲得し、かつ前記指紋画像の対称、ループ数及び象限数を計算するステップと、
前記指紋画像の特異点の数及び流れの方向を追跡することにより前記指紋画像を右蹄状紋、左蹄状紋、突起弓状紋、弓状紋、渦状紋、エディまたはＳ-タイプに分類するステップと、
を備える指紋分類方法を使用することを特徴とする請求項１に記載の指紋紋様及び血液型による星座占いシステム。
【請求項６】
少なくとも一つの指紋画像を検出するための指紋検出装置と、
血液型をシステムに入力するための入力装置と、
前記指紋画像の特異点の数及び流れの方向を認識して該指紋画像の紋様を分類し、かつ前記指紋紋様、血液型及び星座の相関確率を計算し、かつ該指紋紋様、血液型及び星座の相関確率により少なくとも一つの星座占いデータを出力するための認識計算装置と、
を備える指紋紋様及び血液型による星座占いシステム。
【請求項７】
前記星座占いデータを記憶するための記憶装置をさらに備えることを特徴とする請求項６に記載の指紋紋様及び血液型による星座占いシステム。
【請求項８】
前記星座占いデータを出力するための出力装置をさらに備えること特徴とする請求項６に記載の指紋紋様及び血液型による星座占いシステム。
【請求項９】
前記出力装置が、ディスプレーであることを特徴とする請求項８に記載の指紋紋様及び血液型による星座占いシステム。
【請求項１０】
前記出力装置が、プリンターであることを特徴とする請求項８に記載の指紋紋様及び血液型による星座占いシステム。